(57)【特許請求の範囲】
【請求項１】
伸縮且つ傾動自在に構成された掘削機のブーム端に取り付けられる爪支持部と、
前記爪支持部に開閉機構によって開閉自在な状態で連結枢支される一対の切断爪部を有し、
前記切断爪部は、
竹木の幹を掴持する掴持手段と、
前記掴持手段によって竹木の幹を掴持する際に竹木を切断する切断手段と、
前記一方および他方の切断爪部の先端内側に互いに密着しながら擦り合う位置となるように取付けられている小割切断カッターを有する小割切断手段とを備える
ことを特徴とする竹木の伐採装置。
【請求項２】
前記掴持手段が、前記一方の切断爪部と他方の切断爪部に円弧板形状に形成された幹掴持部を有する
ことを特徴とする請求項１記載の竹木の伐採装置。
【請求項３】
前記切断手段が、前記一方の切断爪部に歯先がノコギリ状に形成される切断刃カッターと、該切断刃カッターと対峙する前記他方の切断爪部に受刃カッターとを有する
ことを特徴とする請求項１または２記載の竹木の伐採装置。
【請求項４】
前記爪支持部が前記ブーム端に対して回転自在に構成された
ことを特徴とする請求項１、２または３記載の竹木の伐採装置。
【発明の詳細な説明】
【技術分野】
【０００１】
本発明は、竹木の伐採装置に関する。詳しくは竹、スギなどの真直ぐに伸びた幹を掴持して切断し、取り出して細かく切断することができる竹木の伐採装置に係るものである。
【背景技術】
【０００２】
従来より不要となった竹木の伐採を目的とする伐採装置が提案されており、例えば特許文献１に記載されている。具体的には図６に示すように、土木機械のアーム先端に取付けられ、幹を把持可能な第1および第2のフォーク１０１、１０２に切断刃１０３をそれぞれ着脱自在に取付けられた構成とされている。
【０００３】
また、例えば特許文献２に記載されているものとして具体的には図７に示すように、土木用掘削機のブーム１１０にフレーム本体１１１を取り付け、竹木１１２を掴持するクランプレバ１１３と竹木を寸断するカッター１１４をフレーム本体１１１に取り付け、切断し掴持している竹木を適用な長さに寸断した竹木片を圧縮し送出するロール１１５を備えた圧縮送出機１１６と、送り込まれた竹木片を粉砕するカッター備えた粉砕機１１７を設けた構成とされている。
【０００４】
【特許文献１】特開２００２−３２０４１５号公報
【０００５】
【特許文献２】特開２００２−３４６４２３号公報
【発明の開示】
【発明が解決しようとする課題】
【０００６】
しかしながら特許文献１における伐採装置では、竹木を切断し、第1および第2のフォーク１０１、１０２によって掴持された状態で地面上に引き出された後に、フォーク１０１、１０２の先端で竹木を細かく寸断することができないためにチェーンソーなどによって細かく寸断しなければならない。
【０００７】
また、寸断した竹木をフォーク１０１、１０２の先端で一本を掴持することは可能ではあるが、複数本の竹木をまとめて掴むことができないために積荷作業の効率が悪い問題がある。
【０００８】
次に、特許文献２における有害竹木の除去処理装置では、竹木を掴持するクランプレバ１１３と竹木を切断するカッター１１４とが別々の駆動機構によって作動する機構とされることから装置自体が大型となる問題がある。
【０００９】
また、この除去処理装置では切断された竹木を地面上に引き出した後に、カッター１１４によって細かく寸断することができず、更にクランプレバ１１３によって複数本の竹木を把持することができない。
【００１０】
本発明は、以上の点に鑑みて創案されたものであって、竹木を掴持した状態で切断すると共に、地面上に引き出された竹木を細かく寸断した後に複数本の竹木を把持することができる竹木の伐採装置を提供することを目的とするものである。
【課題を解決するための手段】
【００１１】
上記の目的を達成するために、本発明に係る竹木の伐採装置は、伸縮且つ傾動自在に構成された掘削機のブーム端に取り付けられる爪支持部と、前記爪支持部に開閉機構によって開閉自在な状態で連結枢支される一対の切断爪部を有し、前記切断爪部は、竹木の幹を掴持する掴持手段と、前記掴持手段によって竹木の幹を掴持する際に竹木を切断する切断手段と、前記切断手段によって伐採された竹木を切断する小割切断手段とを備える。
【００１２】
ここで、竹木を掴持した状態で切断することによって竹木が倒れることなく竹林等より引き出すことができる。そして引き出された竹木は小割切断手段によって運搬に最適な長さに切断され、複数本を束ねた状態で切断爪部によって把持されてトラックなどの荷台に積み込むことが可能となるために作業効率が大幅に改善される。
【００１３】
また、一方の切断爪部と他方の切断爪部に円弧板形状に形成された幹掴持部を有することによって、竹木を切断する際に一対の円弧板形状に形成された幹掴持部によって竹木の幹外周面を確実に掴持することが可能となる。
【００１４】
また、切断手段が、一方の切断爪部に歯先がノコギリ状に形成される切断刃カッターと、切断刃カッターと対峙する前記他方の切断爪部に受刃カッターとを有することにより、竹木が掴持される際に、切断刃カッターと受刃カッターとが互いに密着しながら擦り合うことで竹木を確実に切断することが可能となる。
【００１５】
また、小割切断手段が、一方および他方の切断爪部の先端内側に互いに密着しながら擦り合う位置となるように取付けられている小割切断カッターを有することにより、地面に引き出された竹木に対して支障なく所定の長さに切断することが可能となる。
【００１６】
また、爪支持部がブーム端に対して回転自在に構成されたことにより、土木用掘削機のブームによって伐採装置を前後、傾動可能とすると共に、回転させることによって切断した後の竹木を引き出し、地面に載置する、あるいは荷台への積み込みがスムーズに行うことが可能となる。
【００１７】
なお、本発明の特許請求の範囲に記載される竹木とは、竹、あるいは竹と同様の径を有し、かつ真直ぐに伸びたスギなどの樹木とするものである。
【発明の効果】
【００１８】
本発明の竹木の伐採装置によれば、竹を掴持した状態で切断することができるために竹林より地面上に容易に引き出すことができる。更に、竹を地面上に載置した状態で細かく寸断することができ、かつ寸断された複数本の竹を把持してトラックなどの荷台に積み込むことができることで非常に作業性に優れたこととなる。
【発明を実施するための最良の形態】
【００１９】
以下、本発明の実施の形態を図面を参酌しながら説明し、本発明の理解に供する。
図１は、本発明を適用した竹木の伐採装置の一例を示す正面図、図２は、本発明を適用した竹木の伐採装置の一例を示す側面図である。
【００２０】
ここで示す伐採装置１は、伸縮、かつ傾動自在に構成された土木用掘削機のブームＡの先端部に回転自在な状態で取り付けられる爪支持部２と、この爪支持部２に開閉自在状態で連結枢支される一対の切断爪部３とから構成されている。
【００２１】
この爪支持部２は、ブームＡの先端に設けられる駆動モーター（図示せず。）によって回転自在な機構とされている。そして切断爪部３の基部を挟持するための空間部（図示せず。）が形成されている。
【００２２】
また、一対の切断爪部３は、その基部５が爪支持部２の空間部内に挿入された状態で枢支ピン６によって連結枢支されている。更に、これらの切断爪部３の基部５はリンク杆７によって互いに連結枢支されることによって一方の切断爪部３を回動させることによって他方の切断爪部３も同様な動きを起こす構成とされている。
【００２３】
そこで、爪支持部２と一方の切断爪部３とを油圧シリンダー１２によって連結することにより油圧シリンダー１２の伸縮によって切断爪部３の開閉を自在に行える構成とされている。
【００２４】
また、一方の切断爪部３の略中央内側部分には、歯先がノコギリ状に形成される切断刃カッター８と、この切断刃カッター８と対峙する他方の切断爪部３の略中央内側部分には受刃カッター９が互いに密着しながら擦り合う位置となるように取付けられている。
【００２５】
更に、切断刃カッター８と受刃カッター９とによる竹木などの幹の切断軸心方向の一方の切断爪部３および他方の切断爪部３の縁部には円弧板形状に形成された一対の幹掴持部１０がそれぞれ突設された構成とされている。
【００２６】
また、一方および他方の切断爪部３の先端内側には、切断された竹木などの幹を細かく切断するための小割切断カッター１１が互いに密着しながら擦り合う位置となるように取付けられている。
【００２７】
なお、本実施例では伐採装置を土木用掘削機のブーム先端に取る付けた構成を詳述するものであるが、必ずしも土木用掘削機とするものではなく、例えばブームが前後、左右および伐採装置を回転できる機構を備えたものであればいかなる重機であっても構わない。
【００２８】
また、本実施例では切断手段を歯先がノコギリ状に形成される切断刃カッター８と受刃カッター９とから構成されるものを詳述するものであるが、例えば大型の土木用掘削機であれば切断爪部３のせん断力が大きくなるために両方とも刃先状のカッターによる切断手段としても構わない。
【００２９】
以上の構成よりなる本発明の竹木の伐採装置によれば、図３に示すように、伸縮、かつ傾動自在に構成された土木用掘削機のブームＡによって竹林の中に伐採装置１を移動させて竹２０の幹を挟むようにして切断爪部３が油圧シリンダー１２によって開脚されることになる。
【００３０】
次に、竹２０の幹を幹掴持部１０によって掴持できる位置において油圧シリンダー１２により切断爪部３が閉じられることにより、切断爪部３の幹掴持部１０によって竹２０の幹が掴持されると同時に、幹掴持部１０の下方に位置する切断刃カッター８と受刃カッター９が互いに密着しながら擦り合うことによって竹２０が切断されることとなる。
【００３１】
そして切断される竹２０は、倒れることなく幹掴持部１０によって掴持された状態となり、ブームＡの操作によって傾動させて他の竹に引っ掛かることなく、竹林より引き出され、竹２０が地上に対して水平状となるように切断爪部３を回転させて地面上に載置されることとなる。
【００３２】
次に、図４に示すように地面Ｂ上に載置された竹２０は切断爪部３先端に設けられる小割切断カッター１１によって竹２０を所定の長さに分断するために、小割切断カッター１１によって挟むようにした後に、油圧シリンダー１２によって切断爪部３を閉じることで小割切断カッター１１が互いに密着しながら擦り合うようにして噛み合わされることで竹２０が切断されることとなる。
【００３３】
また、図５に示すように、複数本に切断された竹２０は切断爪部３先端によって把持しながら束ねられた後に、油圧シリンダー１２によって切断爪部３を開いた状態で、切断刃カッター８および受刃カッター９と小割切断カッター１１との間に複数本に束ねた状態の竹２０を軽く挟持し、ブームＡの操作によってトラックなどの荷台に積み込まれるものである。
【００３４】
このように本発明の竹木の伐採装置では、爪支持部２がブームＡの先端に対して回転させることにより、竹と竹との狭い隙間に切断爪部３を自在に出し入れすることができると共に、竹の幹に対して略直交状に切断爪部３を開いて、幹掴持部１０によって竹の幹を掴持すると同時に、切断爪部３の切断刃カッター８および受刃カッター９とで竹の幹を切断することが可能となる。
【００３５】
また、竹を切断した後に竹の幹を掴持した状態で竹林から引き出して切断爪部３の先端に設けられる小割切断カッター１１によってトラックなどの荷台に積み込める長さに分断し、更に切断爪部３の切断刃カッター８および受刃カッター９と小割切断カッター１１との間で複数本の竹を把持して荷台に積み込めることが可能となる。
【００３６】
これにより一台の伐採装置１によって竹の伐採から積み込みまでの一連の作業を行うことができるために少人数での作業が可能となり、かつ作業効率が向上することにより作業時間も大幅に短縮することが可能となる。
【００３７】
また、一対の切断爪部の開閉によって竹木の伐採から小割、積み込み作業の全てが行うことができるために従来のように掴持する手段と切断する手段とを別個に備える必要がない。更に、竹木を掴持した状態で切断することによって、例えばチェーンソーによる切断時に竹木が倒れることによる事故を防ぎ、安全な作業を可能とするものである。
【００３８】
したがって、伐採装置の小型化が可能となることにより小型の土木用掘削機のブーム先端への取り付けが実現されることとなる。これにより、入り組んだ場所、あるいは狭い敷地での伐採が支障なく行うことが可能となるものである。
【図面の簡単な説明】
【００３９】
【図１】本発明を適用した竹木の伐採装置の一例を示す正面図である。
【図２】本発明を適用した竹木の伐採装置の一例を示す斜視図である。
【図３】本発明を適用した竹木の伐採装置による竹の切断状態を示す説明図である。
【図４】本発明を適用した竹木の伐採装置による竹の小割り状態を示す説明図である。
【図５】本発明を適用した竹木の伐採装置による竹の運搬状態を示す説明図である。
【図６】従来の竹木の伐採装置の一例を示す説明図である。
【図７】従来の有害竹木の除去処理装置の一例を示す説明図である。
【符号の説明】
【００４０】
１      伐採装置
２      爪支持部
３      切断爪部
５      基部
６      枢支ピン
７      リンク杆
８      切断刃カッター
９      受刃カッター
１０    幹掴持部
１１    小割切断カッター
１２    油圧シリンダー
２０    竹
【図１】
0004795369.tif 000002
【図２】
0004795369.tif 000003
【図３】
0004795369.tif 000004
【図４】
0004795369.tif 000005
【図５】
0004795369.tif 000006
【図６】
0004795369.tif 000007
【図７】
0004795369.tif 000008